(57)【特許請求の範囲】
【請求項１】
テレビジョン中継放送を行う際に使用する画像データ伝送用のデジタル無線伝送方式用受信機（ＦＰＵ）に備えた受信信号のビット誤り率を確認するための装置であって、
前記ビット誤り率が係わる伝送品質を音にて告知する手段を備え、
前記音にて告知する手段は、中継放送開始前に使用する調整向けの音声変換部と中継放送中に使用する運用向け音声変換部とを有し、かつこれらのいずれかを選択する手段を備えたことを特徴とするデジタル無線伝送方式用受信機のビット誤り率確認装置。
【請求項２】
前記調整向けの音声変換部は前記ビット誤り率の増減に対して音が変化するように作動する構成を備え、
前記運用向けの音声変換部は前記ビット誤り率が所定値を超えたときのみ警告音を発生させるように作動する構成を備えたことを特徴とする請求項１に記載のデジタル無線伝送方式用受信機のビット誤り率確認装置。
【請求項３】
前記音が変化するように作動する構成は、音の発生間隔の変化、擬声音の変化、音の周波数の変化のいずれかの作動をする構成であることを特徴とする請求項２に記載のデジタル無線伝送方式用受信機のビット誤り率確認装置。
【請求項４】
前記デジタル無線伝送方式用受信機は、制御部と高周波部とを備え、かつこれらはケーブルを介して接続されているとともに、前記音にて告知する手段はスピーカを有し、該スピーカは前記制御部及び高周波部のそれぞれに設けられていることを特徴とする請求項１乃至３のいずれか１項に記載のデジタル無線伝送方式用受信機のビット誤り率確認装置。
【発明の詳細な説明】
【０００１】
【発明の属する技術分野】
本発明は、デジタル無線伝送技術に関するものであり、特に、テレビジョン中継放送を行うＦＰＵ（Ｆｉｅｌｄ  Ｐｉｃｋ−Ｕｐ  Ｕｎｉｔ）において、受信信号のビット誤り状況を把握する技術に関するものである。
【０００２】
【従来の技術】
近年、アナログ無線伝送方式に代わりデジタル無線伝送方式が、テレビジョン中継放送にも採用され、高品質な映像で中継番組の製作が可能となっている。例えば、デジタル無線伝送に用いられるデジタルＦＰＵでは、主に８００ＭＨｚ帯のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）等のデジタル変調波が使用され、ＭＰＥＧ２コーデック等の圧縮データを多重した信号を伝送することにより、限られた周波数帯域を有効に活用することができる。
【０００３】
デジタル無線伝送においては、時々刻々変化する伝播条件により、デジタルＦＰＵ受信機などの受信機で受信したデジタル信号にビット誤りを生じることがある。しかし、前記ビット誤りがあっても訂正限界内であれば正しく受信でき、受信画像に影響が現れないことがデジタル無線伝送方式の特徴の一つである。
【０００４】
ところが、前記受信信号のビット誤りの訂正限界を超えてひとたび復調が破綻するとその影響が非常に大きくなり、受信信号から再生した画像が、画像として全く使用できないものとなる。このような受信画像が使えなくなる状況に陥るのを避けるために、アナログ無線伝送方式では、受信機上の信号メータで受信信号の電界強度を確認していたが、デジタル無線伝送方式では、受信信号の電界強度ばかりでなく、ビット誤り率の確認が不可欠となっている。そこで、ビット誤り率を受信機上にＬＥＤなどで表示して確認するようにしており、信号受信中にビット誤り率が高くなると、受信用のアンテナの方向を調整して受信状態を修正し、ビット誤り率を低くして受信するようにしている。
【０００５】
【発明が解決しようとする課題】
しかしながら、従来のデジタルＦＰＵ受信機等の受信機におけるビット誤り率の監視に関しては、ビット誤り率を受信機上に表示するだけであったので、本中継開始前の準備あるいは設営時にアンテナを上下左右に動かして向きを調整する時は、本人が頻繁に受信機上のビット誤り率の表示を確認するか、あるいはその表示を逐次読み上げる人が必要であった。また、本中継開始後の中継本番においては、本中継の最中でも、ビット誤り率の表示を見ながら、ビット誤り率が訂正限界内であることを常時監視しておく必要があった。また、豪雨や送受信地点間に障害物の割り込みがある場合、特にマラソン中継などにおいて、移動中継車から送信された電波を受信する場合には、ビット誤り率が頻繁に変化することがあるので、ビット誤り率を常に監視する必要があった。
【０００６】
本発明は前記問題点を解決するためになされたもので、受信信号のビット誤り率と電界強度とを区別して監視する必要がある画像データ伝送用のデジタル無線伝送において、受信機上に表示されるビット誤り率を常に監視者が見ている必要がないデジタル無線伝送方式用受信機の誤り率確認装置を提供することである。
【０００７】
【課題を解決するための手段】
本発明は、テレビジョン中継放送を行う際に使用する画像データ伝送用のデジタル無線伝送方式用受信機（ＦＰＵ）に備えた受信信号のビット誤り率を確認するための装置であって、前記ビット誤り率が係わる伝送品質を音にて告知する手段を備え、前記音にて告知する手段は、中継放送開始前に使用する調整向けの音声変換部と中継放送中に使用する運用向け音声変換部とを有し、かつこれらのいずれかを選択する手段を備えたものである。
【０００８】
また、前記調整向けの音声変換部は前記ビット誤り率の増減に対して音が変化するように作動する構成を備え、前記運用向けの音声変換部は前記ビット誤り率が所定値を超えたときのみ警告音を発生させるように作動する構成を備えたものであり、前記音が変化するように作動する構成は、音の発生間隔の変化、擬声音の変化、音の周波数の変化のいずれかの作動をする構成であることが好ましい。
【０００９】
また、前記デジタル無線伝送方式用受信機は、制御部と高周波部とを備え、かつこれらはケーブルを介して接続されているとともに、前記音にて告知する手段はスピーカを有し、該スピーカは前記制御部及び高周波部のそれぞれに設けられていることを特徴とする請求項１乃至３のいずれか１項に記載のデジタル無線伝送方式用受信機のビット誤り率確認装置。
【００１０】
【発明の実施の形態】
以下、図面等を参照して、本発明の実施形態について説明する。図１は、本発明によるデジタルＦＰＵ受信機のビット誤り率確認装置の実施形態を示す回路構成ブロック図である。図２は、図１に示すデジタルＦＰＵ受信機のビット誤り率確認装置の第１実施例を示す回路構成ブロック図である。図３は、図１に示すデジタルＦＰＵ受信機のビット誤り率確認装置の第２実施例を示す回路構成ブロック図である。図４は、図２に示すデジタルＦＰＵ受信機のビット誤り率確認装置におけるビット誤り率の増減に対応して変化する音声発生間隔の説明図である。図５は、図２に示すデジタルＦＰＵ受信機のビット誤り率確認装置における所定のビット誤り率を超えた時のみ警告音を発する手段の説明図である。図６は、図３に示すデジタルＦＰＵ受信機のビット誤り率確認装置におけるビット誤り率の増減に対応して変化する音声周波数の説明図である。
【００１１】
図１に示すように、本発明の実施形態のデジタル無線伝送方式用受信機であるデジタルＦＰＵ受信機のビット誤り率確認装置（以下、ビット誤り確認装置１０）は、デジタルＦＰＵ受信機２０のＩＦ（Ｉｎｔｅｒｍｅｄｉａｔｅ  Ｆｒｅｑｕｅｎｃｙ：中間周波数）アンプ２６からの信号あるいはデジタル復調回路３３からの信号により、受信信号のビット誤り率が係わる伝送品質を音声にて告知する手段を備えた装置である。尚、ここに挙げたデジタルＦＰＵ受信機２０は、高周波部２１と制御部２２とからなり、その間を同軸ケーブル２９で接続する構成のものである。
【００１２】
８００ＭＨｚ帯のＯＦＤＭ等のデジタル変調波が使用されるデジタルＦＰＵにおいて用いられる図１に示すデジタルＦＰＵ受信機２０は、テレビジョン中継車等から送信されたデジタル変調波をアンテナ２３で受信し、ＲＦ（Ｒａｄｉｏ  Ｆｒｅｑｕｅｎｃｙ：無線周波数）アンプ２４で受信信号を増幅して周波数変換部２５で周波数変換した後、ＩＦアンプ２６において中間周波数に変換するとともに信号を増幅して合成／分配器２８に通す。合成／分配器２８はアンテナ２３で受けたデジタル信号（主としてテレビジョン信号を圧縮したもの）以外に電源、各種の制御信号、通信信号を周波数多重により１本の同軸ケーブル２９に載せるものである。合成／分配器２８で合成された信号は同軸ケーブル２９に載せられて高周波部２１から制御部２２へ送られる。制御部２２では合成分配器３０により合成された信号がデジタル信号（主としてテレビジョン信号を圧縮したもの）と制御信号に分配される。ここで分配されたデジタル信号（主としてテレビジョン信号を圧縮したもの）は制御部２２側のＩＦアンプ３１で増幅され、デジタル復調部３３でデジタル信号（主としてテレビジョン信号を圧縮したもの）を復調してデータ出力３４を出力する。データ出力３４は、ＭＰＥＧ２等のコーデック復号器（デコーダ）へ入力される。
【００１３】
なお、ここまではデジタルＦＰＵ受信機２０は高周波部２１と制御部２２が分離した構成で説明したが、これらが一体化されたものであってもよい。その場合、両構成双方の接続に関わる機能である合成／分配器２８、３０、同軸ケーブル２９、モデム３７、３８、また、両構成双方で重複した機能の一方であるスピーカ４０、伝送品質表示部３９、ＩＦアンプ３１、電解強度表示部３２が無い構成でも可能である。
【００１４】
また、デジタル復調部３３から前記とは別に信号が、ビット誤り率を音にて告知する手段であるビット誤り率確認装置１０のビット誤り検出部１１に送られ、ビット誤りが検出されてビット誤り率が算出される。そして、前記ビット誤り率の信号は、各種音声テーブル部１２において解析されてスピーカ１３から前記手段に応じた音声等が出る。また、ビット誤り検出部１１から伝送品質表示部３５に、前記ビット誤りあるいはビット誤り率に対応した信号が送られて、伝送品質がＬＥＤ表示される。尚、前記音にて告知する手段は、ビット誤り率の増減に対応して音の発生間隔の変化、ビット誤り率に対応した擬声音の変化又はビット誤り率の増減に対応して音の周波数の変化のいずれかの作動をするものあるいはビット誤り率が所定値を超えた時のみ作動するように構成されたものが好ましく、またビット誤り率の増減により作動する構成と、所定値を超えたときのみ作動する構成とを選択する手段を備えたものが好ましい。
【００１５】
伝送状態を示す目安である受信信号の電界強度とビット誤り率の内、電界強度は従来から図１に示す高周波部２１及び制御部２２における電界強度表示部２７、３２のアナログメータまたは電圧−音声周波数変換部３６で変換された音声により把握される。
【００１６】
ビット誤り率確認装置１０を備えたデジタルＦＰＵ受信機２０では、従来の伝送品質表示部３５、３９のＬＥＤ表示とともに、ビット誤り率確認装置１０による各種音声でもビット誤り率が把握できる。即ち、ビット誤り率の高低に合わせて音声発生間隔あるいは音声周波数を連続的に変化させ、操作する人はその音声を聞きながらアンテナ２３の向きを調整することができる。
【００１７】
以上のようにして、受信信号のビット誤り率が係わる伝送品質に関して、高周波部２１及び制御部２２におけるスピーカ４０、１３を通して音声にて告知するので、高周波部２１及び制御部２２における伝送品質表示部３９、３５のＬＥＤ表示を頻繁に確認することが不要になり、また一人でもアンテナ２３を上下左右に動かして向きを調整することができる。尚、前記音声は発振音等の音でもよい。
【００１８】
【実施例】
次に、図１に示すビット誤り率確認装置１０の実施例について説明する。
【００１９】
（実施例１）
図２に示すように、本発明の第１実施例のデジタルＦＰＵ受信機のビット誤り率確認装置５０は、図１に示すデジタル復調部３３からの信号が入力するビット誤り検出部５１、音声発生間隔変換部５２、しきい値検出音声変換部５３、調整−運用切換スイッチ５４、音声増幅部５５及びスピーカ５６から構成される。
【００２０】
テレビジョン中継等の開始前の調整時においては、図２に示す調整−運用切換スイッチ５４を音声発生間隔変換部５２側に切換える。音声発生間隔変換部５２は、図４に示す特性に従い、ビット誤り率が低い時は音声発生の間隔を長くし、ビット誤り率が高い時は音声発生の間隔を短くする。尚、図中のビット誤り率は対数で表現したものである。ビット誤り率がしだいに高くなり、ある一定値以上になると音声発生の間隔を一定にする。音声発生間隔変換部５２からの音声出力信号が音声増幅部５５で増幅されて、スピーカ５６から音声がでる。
【００２１】
尚、スピーカ５６は、図１に示す高周波部２１及び制御部２２におけるスピーカ４０、１３を表す。高周波部２１のスピーカ４０へは、音声増幅部５５で増幅された音声がモデム３７からモデム３８を通して送られるので、高周波部２１におけるスピーカ４０でも同じ音を聞くことができる。
【００２２】
これにより、アンテナ２３操作者が音声を直接聞きながらアンテナ２３の操作を行うことができる。尚、調整−運用切換スイッチ５４はデジタルＦＰＵ受信機２０の制御部２２にあるものであるが、図示しない制御手段により高周波部２１からの制御によっても切換可能なものでもよい。
【００２３】
テレビジョン中継等の開始後は、調整−運用切り替えスイッチ５４をしきい値検出音声変換部５３側に切換える。しきい値検出音声変換部５３は、図５に示す特性に従い、ビット誤り率がしきい値を超えると警告音を出し、この警告音出力信号が音声増幅部５５で増幅されて、スピーカ５６から警告音が出る。尚、図中のビット誤り率は対数で表現したものである。警告音の間隔、周波数は一定である。また、ビット誤り率が前記しきい値を超えない場合は、警告音は出ない。
【００２４】
（実施例２）
図３に示すように、本発明の第２実施例のデジタルＦＰＵ受信機の誤り率確認装置６０は、図１に示すデジタル復調部３３からの信号が入力するビット誤り検出部６１、アナウンス音声変換部６２、音声周波数変換部６３、しきい値検出音声変換部６４、調整用切換スイッチ６５、調整−運用切換スイッチ６６、音声増幅部６７及びスピーカ６８から構成される。
【００２５】
尚、スピーカ６８は、図１に示す高周波部２１及び制御部２２におけるスピーカ４０、１３を表す。高周波部２１のスピーカ４０へは、音声増幅部６７で増幅された音声はモデム３７からモデム３８を通して送られるので、高周波部２１におけるスピーカ４０でも同じ音を聞くことができる。
【００２６】
テレビジョン中継等の開始前の調整時においては、調整−運用切換スイッチ６６を調整用切換スイッチ６５側に切り替え、調整用切換スイッチ６５を中継時の立地条件、天候状況に応じて、アナウンス音声変換部６２側又は音声周波数変換部６３側に切換える。尚、調整用切換スイッチ６５と調整−運用切換スイッチ６６はいずれもデジタルＦＰＵ受信機２０の制御部２２にあるものであるが、図示しない制御手段により高周波部２１からの制御によっても切換可能なものでもよい。
【００２７】
例えば、豪雨で送信側に対して見通しが悪い時は、フェージングが問題となり、ビット誤り率と電界強度を同時に把握する必要があるので、調整用切換スイッチ６５をアナウンス音声変換部６２側に切換える。アナウンス音声変換部６２では、例えば、ビット誤り率がしきい値１からしきい値４のしきい値になると、音声１から音声４の予め用意した人の声によるビット誤り値の音声が出る。この音声出力信号が音声増幅部６７で増幅されて、スピーカ６８から音声が出る。前記音声と図１に示す高周波部２１及び制御部２２における電界強度表示部２７、３２の表示または電圧−音声周波数変換部３６と併用することにより、ビット誤り率と電界強度を同時に把握することができ、アンテナ２３を容易に最適な向きに調整することができる。
【００２８】
また、高層ビルが立ち並ぶ場所ではマルチパスが問題となり、電界強度が良好でもビット誤り率が極端に高い場合がある。このような場合には、図３に示す調整用切換スイッチ６５を音声周波数変換部６３側に切換える。音声周波数変換部６３は、図６に示す特性に従い、ビット誤り率が低い時は音声の周波数を高くし、ビット誤り率が高い時は音声の周波数を低くする。尚、図中のビット誤り率は対数で表現したものである。ビット誤り率がしだいに高くなり、ある一定値以上になると音声周波数を一定にする。この音声出力信号は音声増幅部６７で増幅されて、スピーカ６８から音声が出る。これにより、ビット誤り率に重点を置いて、アンテナ２３の向きを調整することができる。
【００２９】
以上示したように、受信信号のビット誤り率と電界強度とを区別して監視する必要がある本発明の実施形態のデジタルＦＰＵ受信機では、特に従来は無かったビット誤り率を音声にて確認することができるので、従来のように受信機上に表示されるビット誤り率を常に監視者が見ている必要がない。
【００３０】
尚、前記デジタルＦＰＵ受信機が、デジタル無線伝送方式のＴＳＬ（Ｔｒａｎｓｍｉｔｔｅｒ−Ｓｔｕｄｉｏ  Ｌｉｎｋ）等の画像データ無線伝送用の他のデジタル無線伝送方式用受信機であってもよく、その場合でも前記と同様にしてビット誤り率を音声等により確認することができる。
【００３１】
【発明の効果】
本発明によれば、受信機上に表示されるビット誤り率を常に監視者が見ている必要がなく、また一人でもアンテナの向きを容易に調整することができる。
【図面の簡単な説明】
【図１】本発明によるデジタルＦＰＵ受信機のビット誤り率確認装置の実施形態を示す回路構成ブロック図である。
【図２】図１に示すデジタルＦＰＵ受信機のビット誤り率確認装置の第１実施例を示す回路構成ブロック図である。
【図３】図１に示すデジタルＦＰＵ受信機のビット誤り率確認装置の第２実施例を示す回路構成ブロック図である。
【図４】図２に示すデジタルＦＰＵ受信機のビット誤り率確認装置におけるビット誤り率の増減に対応して変化する音声発生間隔の説明図である。
【図５】図２に示すデジタルＦＰＵ受信機のビット誤り率確認装置における所定のビット誤り率を超えた時のみ警告音を発する手段の説明図である。
【図６】図３に示すデジタルＦＰＵ受信機のビット誤り率確認装置におけるビット誤り率の増減に対応して変化する音声周波数の説明図である。
【符号の説明】
１０、５０、６０  ビット誤り率確認装置
１１、５１、６１  ビット誤り検出部
１２  各種音声テーブル部
１３、４０、５６、６８  スピーカ
２０  デジタルＦＰＵ受信機
２１  高周波部
２２  制御部
２３  アンテナ
２４  ＲＦアンプ
２５  周波数変換部
２６、３１  ＩＦアンプ
２７、３２  電界強度表示部
２８、３０  合成／分配器
２９  同軸ケーブル
３３  デジタル復調部
３４  データ出力
３５、３９  伝送品質表示部
３６  電圧−音声周波数変換部
３７、３８  モデム
５２  音声発生間隔変換部
５３、６４  しきい値検出音声変換部
５４、６６  調整−運用切換スイッチ
５５、６７  音声増幅部
６２  アナウンス音声変換部
６３  音声周波数変換部
６５  調整用切換スイッチ
【図１】
0003955173.tif 000002
【図２】
0003955173.tif 000003
【図３】
0003955173.tif 000004
【図４】
0003955173.tif 000005
【図５】
0003955173.tif 000006
【図６】
0003955173.tif 000007